【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
ハウジングの溶解室内に、投入された合金材料から合金塊を作製するための凹部を有したハースと、この凹部内を加熱する加熱機構と、前記凹部内の粗合金を動力を利用して表裏を反転する反転機構を設け、その粗合金を凹部内で裏面側から再加熱できるようにしたことを特徴とする合金塊の作製装置。
【請求項２】
前記反転機構は、前記ハースの凹部と対向する下向き凹陥部を有した凹部カバー体と、この凹部カバー体の下向き凹陥部と前記ハースの凹部とより成る空間部で回転する反転部材と、この反転部材を回転する回転手段からなる請求項１記載の合金塊の作製装置。
【請求項３】
前記反転部材は、凹部カバー体に軸で回転自在に取付けてあり、前記軸の軸線に対して円弧状に形成され前記空間部内で回転する反転部と、前記軸の軸線と前記反転部の間に、前記粗合金塊を通過させるための空間を有する落下部からなる請求項２記載の合金塊の作製装置。
【請求項４】
前記凹部は、溶解用凹部と成形用凹部を有し、その溶解用凹部内で合金材料を溶融、撹拌され、かつ粗合金塊が表裏反転されるようにし、
前記成形用凹部内で粗合金塊が溶融して成形されるようにした請求項１〜３いずれか１項記載の合金塊の作製装置。
【請求項５】
前記成形用凹部内の粗合金塊を、動力を利用して成形用凹部に搬送してセットする搬送機構を設けた請求項４記載の合金塊の作製装置。
【請求項６】
前記ハースは、複数の溶解用凹部と複数の成形用凹部を有し、
前記溶解室内に、前記溶解用凹部内を加熱する溶解用加熱機構と、前記成形用凹部内を加熱する成形用加熱機構を設けた請求項５記載の合金塊の作製装置。
【請求項７】
前記ハウジングの溶解室内に合金材料を供給する合金材料供給機構と、作製した合金塊をハウジングの外部に排出する合金塊排出機構と、成形した合金塊を成形用凹部から合金塊排出機構まで移送する移送機構を設けた請求項６記載の合金塊の作製装置。
【請求項８】
前記合金材料供給機構は、前記溶解用凹部まで連続した供給管と、この供給管に設けたゲートを有し、
前記合金塊排出機構は、ハウジングの排出穴と連続した排出管と、この排出管に設けたゲートを有する請求項７記載の合金塊の作製装置。
【手続補正２】
【補正対象書類名】明細書
【補正対象項目名】０００７
【補正方法】変更
【補正の内容】
【０００７】
本発明は、ハウジングの溶解室内に、投入された合金材料から合金塊を作製するための凹部を有したハースと、この凹部内を加熱する加熱機構と、前記凹部内の粗合金を動力を利用して表裏を反転する反転機構を設け、その粗合金を凹部内で裏面側から再加熱できるようにしたことを特徴とする合金塊の作製装置である。
【手続補正３】
【補正対象書類名】明細書
【補正対象項目名】０００８
【補正方法】変更
【補正の内容】
【０００８】
本発明においては、前記反転機構は、前記ハースの凹部と対向する下向き凹陥部を有した凹部カバー体と、この凹部カバー体の下向き凹陥部と前記ハースの凹部とより成る空間部で回転する反転部材と、この反転部材を回転する回転手段から構成できる。
【手続補正４】
【補正対象書類名】明細書
【補正対象項目名】０００９
【補正方法】変更
【補正の内容】
【０００９】
このようにすれば、反転部材を回転することで空間部内で粗合金塊を表裏反転することができる。
【手続補正５】
【補正対象書類名】明細書
【補正対象項目名】００１０
【補正方法】変更
【補正の内容】
【００１０】
本発明においては、前記反転部材は、凹部カバー体に軸で回転自在に取付けてあり、前記軸の軸線に対して円弧状に形成され前記空間部内で回転する反転部と、前記軸の軸線と前記反転部の間に、前記粗合金塊を通過させるための空間を有する落下部から構成できる。
【手続補正６】
【補正対象書類名】明細書
【補正対象項目名】００１１
【補正方法】変更
【補正の内容】
【００１１】
このようにすれば、反転部の回転によって凹部内の粗合金塊を凹部カバー体の下向き凹陥部に向けて順次移動して表裏反転し、その表裏反転した粗合金塊は落下部を通して凹部内に落下するので、凹部内の粗合金をスムーズに表裏反転することができる。
【手続補正７】
【補正対象書類名】明細書
【補正対象項目名】００１２
【補正方法】変更
【補正の内容】
【００１２】
本発明においては、前記凹部は、溶解用凹部と成形用凹部を有し、その溶解用凹部内で合金材料を溶融、撹拌され、かつ粗合金塊が表裏反転されるようにし、前記成形用凹部内で粗合金塊が溶融して成形されるようにできる。
【手続補正８】
【補正対象書類名】明細書
【補正対象項目名】００１３
【補正方法】変更
【補正の内容】
【００１３】
このようにすれば、溶解用凹部を溶解、撹拌され易い浅く、広い形状として効率良く溶解、撹拌できるようにできるし、成形用凹部を所定の形状として所定の形状の合成塊を作製できる。
【手続補正９】
【補正対象書類名】明細書
【補正対象項目名】００１４
【補正方法】変更
【補正の内容】
【００１４】
本発明においては、前記成形用凹部内の粗合金塊を、動力を利用して成形用凹部に搬送してセットする搬送機構を設けることができる。
【手続補正１０】
【補正対象書類名】明細書
【補正対象項目名】００１５
【補正方法】変更
【補正の内容】
【００１５】
このようにすれば、溶解用凹部内の粗合金塊を、成形用凹部内に自動的に搬送してセットできるので、合金塊を効率良く作製できる。
【手続補正１１】
【補正対象書類名】明細書
【補正対象項目名】００１６
【補正方法】変更
【補正の内容】
【００１６】
本発明においては、前記ハースは、複数の溶解用凹部と複数の成形用凹部を有し、前記溶解室内に、前記溶解用凹部内を加熱する溶解用加熱機構と、前記成形用凹部内を加熱する成形用加熱機構を設けることができる。
【手続補正１２】
【補正対象書類名】明細書
【補正対象項目名】００１７
【補正方法】変更
【補正の内容】
【００１７】
このようにすれば、合金材料の加熱、反転した粗合金の加熱と、成形用の加熱を別々にできるので、より効率良く合金塊を作製できる。
【手続補正１３】
【補正対象書類名】明細書
【補正対象項目名】００１８
【補正方法】変更
【補正の内容】
【００１８】
本発明においては、前記ハウジングの溶解室内に合金材料を供給する合金材料供給機構と、作製した合金塊をハウジングの外部に排出する合金塊排出機構と、成形した合金塊を成形用凹部から合金塊排出機構まで移送する移送機構を設けることができる。
【手続補正１４】
【補正対象書類名】明細書
【補正対象項目名】００１９
【補正方法】変更
【補正の内容】
【００１９】
このようにすれば、合金材料の投入から作製した合金塊の排出まで自動的に行うことができる。
【手続補正１５】
【補正対象書類名】明細書
【補正対象項目名】００２０
【補正方法】変更
【補正の内容】
【００２０】
本発明においては、前記合金材料供給機構は、前記溶解用凹部まで連続した供給管と、この供給管に設けたゲートを有し、
前記合金塊排出機構は、ハウジングの排出穴と連続した排出管と、この排出管に設けたゲートを有するようにできる。
【手続補正１６】
【補正対象書類名】明細書
【補正対象項目名】００２１
【補正方法】変更
【補正の内容】
【００２１】
このようにすれば、合金材料を溶解用凹部内まで供給できる。
また、ゲートで供給管、排出管を閉じることができるので、合金作製の作業時には溶解室内を密閉状態とすることが可能である。
【手続補正１７】
【補正対象書類名】明細書
【補正対象項目名】００２２
【補正方法】変更
【補正の内容】
【００２２】
本発明によれば、ハウジングの溶解室内の凹部内で合金材料を溶解、撹拌して粗合金塊とし、その粗合金塊を凹部内で自動的に表裏反転し、裏面側から加熱して再度溶解、撹拌できるので、品質の優れた合金塊を簡単で、短時間に作製でき、生産性が良い合金塊の作製装置である。